(57)【要約】    【課題】  筆記用具の携帯性を損なうことがなく持ち運びに便利で、しかも夜間や薄暗い場所でも小さな文字を読むことが可能な拡大鏡機能を備えた筆記用具を提供する。    【解決手段】  筆記用具１の端部側に配設されたクリップ部２３が拡大鏡機能を有する透明のレンズ体とされると共に、当該クリップ部２３は筆記用具１の長手方向に対して直交する方向に設けられた取付軸２９を回転中心として回転可能に取着されたことを特徴とし、さらに筆記用具１のペン先の近傍には照明手段３０、３０が設けられ、照明手段３０、３０により発生する光がクリップ部２３を回転可能に支持する透明な腕部２７ａを介して導かれるようにされたことを特徴とする。    【選択図】  図１
2005074826.tif 000002
【特許請求の範囲】
【請求項１】
筆記用具の端部側に配設されたクリップ部が拡大鏡機能を有する透明のレンズ体とされると共に、当該クリップ部は前記筆記用具の長手方向に対して直交する方向に設けられた取付軸を回転中心として回転可能に取着されたことを特徴とする拡大鏡機能を備えた筆記用具。
【請求項２】
請求項１に記載の拡大鏡機能を備えた筆記用具において、
前記クリップ部は、所定の角度で保持されるような係止手段を備えて構成されていることを特徴とする拡大鏡機能を備えた筆記用具。
【請求項３】
請求項１又は２に記載の拡大鏡機能を備えた筆記用具において、
前記クリップ部は、筆記用具のペン先を覆う着脱可能なキャップ部に設けられており、当該ペン先の近傍には照明手段が設けられ、前記照明手段により発生する光が前記クリップ部を回転可能に支持する透明な腕部を介して前記クリップ部に導かれるようにされたことを特徴とする拡大鏡機能を備えた筆記用具。
【請求項４】
請求項３に記載の拡大鏡機能を備えた筆記用具において、
前記クリップ部の頭部には前記照明手段により発生する光を拡散する光拡散部を備えていることを特徴とする拡大鏡機能を備えた筆記用具。
【請求項５】
請求項３又は４に記載の拡大鏡機能を備えた筆記用具において、
前記キャップ部の内側面には前記照明手段により発生した光を反射する反射面が設けられていることを特徴とする拡大鏡機能を備えた筆記用具。
【発明の詳細な説明】
【技術分野】
【０００１】
本発明は、拡大鏡機能を備えた筆記用具に関し、特に、ボールペン等のクリップ部が拡大鏡機能を有するレンズ体とされた拡大鏡機能を備えた筆記用具に関する。
【背景技術】
【０００２】
例えば、銀行の口座開設のための申込書や保険の申込書等の各種の申込書の所定欄に必要事項を記入する際、各項目の題字が非常に小さな文字で書かれていることが多く、それらの文字が判読し難い場合がある。特に老人の場合はその傾向が強い。そこで、そのような場合に有用なものとして従来からボールペン等の筆記用具に拡大鏡を備えたものが提案されている。例えば、ボールペンのキャップ頭部にリング状の枠体を取着し、その枠体にレンズを装着した拡大鏡をキャップの頭部に取り付けたキャップ式のボールペンがある（特許文献１参照。）。これは、拡大鏡と筆記用具が同時に必要となった場合に、拡大鏡と筆記用具とをいちいち持ち替えるのは不便であることから考案されたもので、拡大鏡と筆記用具とを交互に持ち替える必要がないというメリットがある。
【０００３】
また、筆記用具に拡大鏡を備えたものの他の従来技術としては、ボールペンの本体を断面半円形又は断面台形のプラスチック製拡大レンズ体としたボールペンがある（特許文献２）。このボールペンは、本体が断面半円形をしたアクリル樹脂から成る長いレンズ体とされると共に、その裏面が平面とされているので、例えば、平面状の裏面を下にして小さな文字が記載された印刷物の上に置くと文字が拡大レンズ体を通して拡大されて見ることができるというものである。
【０００４】
一方、うす暗い場所や夜間の筆記に便利なように筆記用具にライトを取り付けたものも提案されている。本願出願人はそのようなライト付ボールペンとして、筒状本体の先端に近傍に単一または複数のライトを配設し、この筒状本体後端に設けられた回動部を回動させるか、もしくは回動部の替わりに設けられたノック部をノックすることによってライトを点灯させることを特徴とするライト付きボールペンを発明し特許出願した（特許文献３参照。）。
【０００５】
【特許文献１】実開平５−９５７９１号公報  図１
【特許文献２】登録実用新案第３０５６０６９号公報  第１図
【特許文献３】特開平１１−３４５７９号公報  請求項１、第１図
【発明の開示】
【発明が解決しようとする課題】
【０００６】
しかし、特許文献１に示された拡大鏡付ボールペンは、キャップ部にリング状の拡大鏡がそのままの形で取り付けられており、拡大鏡の機能を重視すればリング部を大きくせざるを得ずその結果拡大鏡部分が邪魔になって持ち運びに不便であると共に、頂部にそのような拡大鏡が取着されているので筆記する際のバランスが悪く書きづらいという問題がある。そのため携帯性を考慮して拡大鏡のリング部を小さくすると逆にレンズ部が小さくなるので極めて狭い範囲しか見ることができず実用性にかけるという問題がある。
【０００７】
また、特許文献２に示されたボールペンは、本体が断面半円形又は断面台形のプラスチック製の拡大レンズ体とされているので持ちづらく、実際に文字を筆記する場合に非常に書きづらいという問題がある。
【０００８】
一方、特許文献３に示されたライト付ボールペンは、後端の回動部を回動、もしくはノック部をノックすることによってライトを点灯させることにより夜間等の暗い場所での筆記も容易に行うことができるものであるが、ライトによって照らし出される範囲が直接ライトが当たる範囲に限られてしまうため広い範囲を照らし出すことが難しかった。
【０００９】
そこで、本発明が解決すべき課題は、筆記用具の携帯性を損なうことがなく持ち運びに便利な拡大鏡機能を備えた筆記用具を提供することである。
また、本発明が解決すべき課題は、筆記に際しても持ちやすく、通常の筆記用具が有するグリップ性を維持し、筆記しやすい拡大鏡機能を備えた筆記用具を提供することである。
さらに、夜間や薄暗い場所でも小さな文字を読むことが可能な拡大鏡機能を備えた筆記用具を提供することである。
【課題を解決するための手段】
【００１０】
上記課題を解決するために請求項１に記載の本発明は、筆記用具の端部側に配設されたクリップ部が拡大鏡機能を有する透明のレンズ体とされると共に、当該クリップ部は筆記用具の長手方向に対して直交する方向に設けられた取付軸を回転中心として回転可能に取着されたことを特徴とする拡大鏡機能を備えた筆記用具を提供する。
【００１１】
上記課題を解決するために請求項２に記載の本発明は、請求項１に記載の拡大鏡機能を備えた筆記用具において、クリップ部は、所定の角度で保持されるような係止手段を備えて構成されていることを特徴とする。
【００１２】
上記課題を解決するために請求項３に記載の本発明は、請求項１又は２に記載の拡大鏡機能を備えた筆記用具において、クリップ部は、筆記用具のペン先を覆う着脱可能なキャップ部に設けられており、当該ペン先の近傍には照明手段が設けられ、照明手段により発生する光がクリップ部を回転可能に支持する透明な腕部を介してクリップ部に導かれるようにされたことを特徴とする。
【００１３】
上記課題を解決するために請求項４に記載の本発明は、請求項３に記載の拡大鏡機能を備えた筆記用具において、クリップ部の頭部には照明手段により発生する光を拡散する光拡散部を備えていることを特徴とする。
【００１４】
上記課題を解決するために請求項５に記載の本発明は、請求項３又は４に記載の拡大鏡機能を備えた筆記用具において、キャップ部の内側面には照明手段により発生した光を反射する反射面が設けられていることを特徴とする。
【発明の効果】
【００１５】
本発明に係る拡大鏡機能を備えた筆記用具によれば、筆記用具の端部側に配設されたクリップ部が拡大鏡機能を有する透明のレンズ体とされると共に、当該クリップ部は筆記用具の長手方向に対して直交する方向に設けられた取付軸を回転中心として回転可能に取着することとしたので、筆記用具に拡大鏡機能を備えているにもかかわらず当該筆記用具の本来のバランスを全く損なうことがなくとても筆記しやすいという効果がある。また、持ち運びにも便利であるという効果を有する。
【００１６】
また、本発明に係る拡大鏡機能を備えた筆記用具によれば、クリップ部は、所定の角度で保持されるような係止手段を備えて構成したので、見やすい角度を適宜選択して対象物を拡大させて見ることができるという効果がある。
【００１７】
本発明に係る拡大鏡機能を備えた筆記用具によれば、クリップ部は、筆記用具のペン先を覆う着脱可能なキャップ部に設けられており、当該ペン先の近傍には照明手段が設けられ、照明手段により発生する光がクリップ部を回転可能に支持する透明な腕部を介してクリップ部に導かれるようしたので夜間や薄暗い場所でも小さな文字を読むことができるという効果がある。
【００１８】
さらに、本発明に係る拡大鏡機能を備えた筆記用具によれば、クリップ部の頭部には照明手段により発生する光を拡散する光拡散部を備えていることとしたので、筆記用具に内蔵された照明で単に照らし出すよりもさらに広範な範囲を照らし出すことができるという効果がある。
【００１９】
また、本発明に係る拡大鏡機能を備えた筆記用具によれば、キャップ部の内側面には照明手段により発生した光を反射する反射面を設けることとしたので僅かの光でも周囲を明るく照らすことができるという効果がある。
【発明を実施するための最良の形態】
【００２０】
以下、本発明に係る拡大鏡機能を備えた筆記用具の一実施形態について図面を参照しつつ詳細に説明する。図１は本発明に係る拡大鏡機能を備えた筆記用具の一実施形態であるボールペンの使用状態を示す側面図である。
【００２１】
図１に示された筆記用具は、本体１０と、本体１０に着脱可能に嵌合されるキャップ２０とを備えて構成されたボールペン１であり、しかも、図６に示すように、先端部に２つのＬＥＤ３０、３０を備えた発光タイプのボールペンである。図示されたボールペン１は、図６に示すように、合成樹脂により内部が中空状の筒状体に形成された本体１０を有し、その内部にペン軸５が内装されると共に、本体１０の一方側の端部には、回転させることによりＯＮ／ＯＦＦを切り替え可能なスイッチ部１１がリング１３を挟んで螺着されている。ここで、ＯＮ／ＯＦＦを切り替えるスイッチ部１１は、上述の回転式だけではなく、例えば、凸部をノックするごとにＯＮ／ＯＦＦが切り替わる上下切り替え式のスイッチとすることもできる。一方、それとは反対側の本体１０の端部側の側面周囲にはボールペン１を把持して筆記する際に手にしっくりなじむようにゴム製のラバー部材１５が配設されている。さらに、ラバー部材１４の先には、本体１０内に内装されるペン軸５を案内するテーパ状の案内部材１９が配置されており、案内部材１９によりペン軸５のペン先５ａが本体１０端部から突出するようにして配置されるようになっている。
【００２２】
ボールペン１の本体１０の内部には２つのボタン電池４０、４０と、導電性の金属材料により板状に形成された接触片３３と、ボタン電池４０、４０と接触するコイル状の接触スプリング３１と、ＬＥＤ３０、３０を案内部材１９に配置固定するための保持部材１７とがさらに内装されて形成されている。
【００２３】
板状に形成された接触片３３の先端部は、略Ｕ字状に折り曲げられ、本体１０の端部側に螺刻されたスイッチ部１１を螺号するための螺子部１０ａに引っ掛けられるようにして係止されている。また、接触片３３は、細長く伸びたリード部３３ａを有しており、このリード部３３ａがＬＥＤ３０、３０の一方側のリード部３０ａ、３０ａと電気的に接続されている。
【００２４】
接触スプリング３１は、ボタン電池４０、４０側に行くほど幅が狭くなるようにコイル状に巻かれたテーパ状のスプリング形状とされ、その頭部はボタン電池４０、４０と電気的に接続するようにして本体１０内に内装されている。接触スプリング３１は、接触片３３と同様に、細長く伸びたリード部３１ａを有しており、このリード部３１ａがＬＥＤ３０、３０の他方側のリード部３０ｂ、３０ｂと電気的に接続されている。この構成により、ボールペン１のスイッチ部１１を回転させるとスイッチ部１１の内側に設けられた図示しない導電性の接触片が接触片３３に接触してＬＥＤ３０、３０を点灯させるようになっている。そして、スイッチ部１１をさらに回転させると図示しない導電性の接触片が接触片３３から離れ、電気の流れが遮断されてＬＥＤ３０、３０が消灯するようになっている。他方、ノック式スイッチの場合では、凸部をノックすることにより図示しない接触片がボタン電池４０、４０に接触してＬＥＤ３０、３０を点灯させ、さらにノックすることにより図示しない接触片がボタン電池４０、４０から離れ、電気の流れが遮断されてＬＥＤ３０、３０が消灯する。尚、保持部材１７は、本体１０内に設けられたＬＥＤ３０、３０を点灯及び消灯させるための上述した電気系統とペン軸５を隔離するために案内部材１９内に配置される。そして、本体１０のペン先５ａ側にはキャップ２０が着脱可能に嵌合される。ＬＥＤ３０、３０は、略１８０°対向した位置に配置されており、これによりペン先５ａによる影を発生させることなく対象を均一に照らし出すことができる。
【００２５】
本実施形態では、ＬＥＤ３０、３０は２つ取り付けられているが、例えば、ＬＥＤを光の三原色である赤、青、緑に発光するものを配置し、それら各色の発光輝度を調整可能な制御基板を設け、それによって各色の合成を行いって好みの色の光を発生させるようにすることもできる。また、ＬＥＤ３０、３０を点滅可能に構成してもよい。
【００２６】
一方、キャップ２０は、合成樹脂により内部が中空状の筒状体に形成されたキャップ本体２１を備え（図４参照）、本体１０と着脱可能に嵌合することによりボールペン１のペン先５ａを保護するようになっている。加えて、キャップ２０には、図２〜図５に示すように、キャップ本体２１に対して回転可能に取着された拡大鏡機能を備えたレンズ体であるクリップ部２３を有して構成されている。すなわち、キャップ本体２１の頭部には略Ｕ字状に立設した２つの取付部２６、２６が形成されており、この取付部２６、２６には、取付ピン２９を挿通するための孔がそれぞれ穿設されている。また、クリップ部２３には腕部２７ａを介して略円形状の回転取付部２７が取着されており、２つの取付部２６、２６により形成された間隙に回転取付部２７を間装するようにして配置した状態でボールペン１の軸方向（長手方向）に対して直交する方向に貫通するようにして回転取付部２７に穿設された孔に取付ピン２９を挿通することによりクリップ部２３がキャップ本体２１に対して回転可能に取着されている。尚、回転取付部２７は略円形状に限らず、四角形やその他の形状とすることもできる。
【００２７】
さらに、キャップ本体２１の内側面にはＬＥＤ３０、３０により発生した光を反射する反射面２０ａが設けられている。具体的には、キャップ本体２１の内側面にアルミニウム等の薄い金属板若しくは金属箔を配して反射面２０ａとし、ＬＥＤ３０、３０により発生する光を反射、拡散させるようになっている。尚、必ずしもキャップ本体２１の内側面２０ａ全体を反射面としなくとも、ＬＥＤ３０、３０近傍に位置するキャップ本体２１の内側面の一部を反射面としてもよい。また、反射面２０ａは、表面にアルミニウム蒸着された粘着テープを貼ったり、金属メッキによっても形成することができる。
さらに、キャップ２０内部には、ＬＥＤ３０、３０により発生する光を頂部側へ導くための反射板２８が設けられている。反射板２８は、図７に示すように、底部に開口部２８ｂを有する摺鉢状に形成され、その内側面２８ａはキャップ本体２１の内側面２０ａと同様にアルミニウム等の薄い金属板若しくは金属箔を配してＬＥＤ３０、３０により発生した光を反射することが可能な反射面とされている。これにより、ＬＥＤ３０、３０により発生した光はキャップ本体２１の頂部側へ有効に反射されるため、後述するように、光拡散部２５、２５への光の導入や回転取付部２７及びクリップ部２３に効率よく光を導くことができ対象物への光投射をより効果的に行うことが可能となる。
【００２８】
クリップ部２３は、光透過性の合成樹脂、例えばアクリル樹脂、ポリカーボネート、ＰＭＭＡ（Polymethylmethacrylate）等のように、透明な材質により凸レンズ状に形成されたレンズ体とされ、拡大鏡機能を備えている。具体的には、クリップ部２３は、キャップ本体２１側に面する面側が略平面とされ、その反対側の面側が凸状面とされている。図示された好ましい実施形態におけるボールペン１ではクリップ部２３は縦長の略楕円形状を有して形成されているがクリップ部２３の形状はもちろんこれに限られるものではない。また、クリップ部２３は赤、青、黄、その他の色を有する有色透明とすることもできる。
【００２９】
クリップ部２３は、取付ピン２９を回転中心として回転可能とされているが、本実施形態におけるボールペン１の場合は、クリップ部２３は０°から略２４０°回転するようになっている。このように、クリップ部２３の回転する角度を０°から２４０°としたのは、図１に示すように、クリップ部２３を拡大して見たい雑誌や申込書等の印刷物の印刷面に対して略並行に位置させたときに本体１０がやや斜めになるのでレンズ体であるクリップ部２３を見やすくすることができるからである。もちろん回転角度はこれに限定されるものではないことはいうまでもない。
また、クリップ部２３は、所定の角度で軽くロックされてその角度状態で保持される係止手段を備えている。この係止手段は以下のように構成される。すなわち、図８（ａ）（ｂ）に示すように、回転取付部２７の表面に僅かに突出する係合突起部２７ｂ、２７ｂを複数設けると共に、それと対向する取付部２６の表面の１ヶ所に係合突起部２７ｂに係合する被係合部２６ａを設ける。この係合突起部２７ｂと被係合部２６ａとはクリップ部２３が、例えば、０°、９０°、１２０°、１８０°、２４０°等の所定の角度になったときに係合する位置に配置しておく。これにより、クリップ部２３を回転させたときにクリップ部２３を所定の角度で保持することが可能となる。尚、０°の場合はクリップ部２３は平らな面を本体１０側に向けた状態で本体１０と平行の状態で保持されるのでポケット等に差し込むことが可能となり通常のクリップと同様の働きをする。尚、係合突起部２７ｂを取付部２６に設けると共に被係合部２６ａを回転取付部２７に設けてもよく、係合突起部２７ｂを回転取付部２７の両側面に設けると共にそれと係合する被係合部２６ａを両方の取付部２６、２６に設けてもよい。
【００３０】
また、クリップ部２３の係止手段は、図９に示すようなものとすることもできる。すなわち、図示された係止手段は、回転取付部２７の外周の表面に複数の切欠部２７ｃ、２７ｃを形成すると共に、その切欠部２７ｃ、２７ｃに引っ掛かることによりクリップ部２３を係止する係止片２１ａをキャップ本体２１内に備えて構成されている。切欠部２７ｃ、２７はクリップ部２３が、例えば、０°、９０°、１２０°、１８０°、２４０°等の所定の角度になったときに係止片２１ａに係合する位置に配置されている。また、係止片２１ａは、弾性を有する金属片によって形成され、キャップ本体２１の内側面に配置されている。これにより、クリップ部２３を所定の角度で保持することが可能となる。
【００３１】
キャップ本体２１の頂部側、すなわち、回転取付部２７及び腕部２７ａ、取付部２６、２６は、光透過性のある合成樹脂、例えば、ポリカーボネート等の合成樹脂により透明に形成されている。そして、取付部２６、２６の頭部は、上記同様の光透過性の合成樹脂により略楕円形状をしたレンズ状の光拡散部２５、２５とされている（図５参照）。これにより、キャップ２０をキャップ本体２１に嵌着させた状態でスイッチ部１１を回転させて若しくはノックしてスイッチをＯＮとしＬＥＤ３０、３０を点灯させると、取付部２６、２６は透明とされているのでＬＥＤ３０、３０からの光がエッジライト効果により光拡散部２５、２５に導入されて拡散され、より広い範囲を照らし出すことが可能となる。従って、夜間や薄暗い場所であっても確実に書類の記載事項を読み取ることが可能となる。また、クリップ部２３も透明の腕部２７ａを介して連設されていることからＬＥＤ３０、３０の光がエッジライト効果によりクリップ部２３全体に導入され、それにより広い範囲を照らし出すこともできる。光拡散部２５、２５は図示されたような楕円形状のものに限らず四角形状等としてもよい。
ここで、本実施形態においてクリップ部２３は、本体１０に着脱可能に嵌合されるキャップ２０に設けられているがもちろんこれに限るものではなく、ボールペン１の本体１０に直接クリップ部２３を形成することができるのはいうまでもない。
【００３２】
次に、上述したボールペン１の使用方法について説明する。まず、ボールペン１の基本的な姿勢としては、本体１０にキャップ２０を被せた状態でクリップ部２３が本体１０に近接するようにして平行な状態とされ（すなわち、クリップ部２３が０°の状態）、衣服のポケット等に差し込み可能な状態とされた状態である。
この状態から、クリップ部２３を手で引き起こすようにして回転させると、クリップ部２３は係合突起部２７ｂと被係合部２６ａより構成される係止手段により所定の角度で保持される。保持された角度状態から僅かに力を加えて係合突起部２７ｂと被係合部２６ａの係合を解除させればクリップ部２３はさらに回転する。そして、それを繰り返してクリップ部２３を２４０°回転させると図１及び図２に示す状態となる。この状態で上部側からクリップ部２３を覗き込むとその下側にある文字等がクリップ部２３の有する拡大鏡機能により大きく拡大されて見ることができる。例えば、小さな文字の書かれた雑誌や書類に対して使用すればクリップ部２３により小さな字を拡大して読むことができる。
【００３３】
さらに、スイッチ部１１を回転させて若しくはノックしてスイッチをＯＮとし、ＬＥＤ３０、３０を点灯させると雑誌や書類等の対象物が光によって照らし出され、これにより夜間や薄暗い場所でも文字を読むことができる。このとき、ＬＥＤ３０、３０から発せられた光はキャップ本体２１の内側面２０ａ及び反射板２８に反射されてキャップ本体２１の頂部側に達し、光拡散部２５、２５やクリップ部２３に導かれてより広い範囲を照らし出す。これにより、単にＬＥＤ３０、３０で直接照らし出す場合に比べてより広い範囲を照らし出すことができる。
【００３４】
次に、図１０に示すのは、上述した実施形態におけるボールペン１の取付ピン２９に穿設された孔２９ａに三角形状をしたフック５０を挿通し、そのフック５０にストラップ５１を取り付けたものである。すなわち、略Ｕ字状に形成された２つの取付部２６、２６の間隙にクリップ部２３の回転取付部２７を間装するようにして配置した状態でボールペン１の軸方向（長手方向）に対して直交する方向に貫通するようにして取着された取付ピン２９には孔２９ａが穿設されており（図１、図４参照）、この孔２９ａにフック５０が取り付けられている。このように構成することによりボールペン１を首から下げることができる。従って、例えば、ボールペン１のクリップ部２３を胸ポケットに差しているときに人にぶつかる等してクリップ部２３に意図しない力が加わることによってクリップ部２３が勝手に回転して開いてしまいボールペン１が胸ポケットから落下するという事故を防止することができる。また、このように構成することによりストラップ５１を首にかけた状態でＬＥＤ３０、３０を点灯すれば手の自由性を失うことなく暗い場所でも本人の居場所を他者に容易に認識させることができ、暗所における集団行動や非常時における居場所の認識性を高めることが可能となる。また、本ボールペン１を人ではなく何か目印とすべき物に掛けることにより夜間暗い場所での目印とすることもできる。さらに、パーティー等においてはＬＥＤ３０、３０の発する光によりその場の雰囲気を盛り上げたり和やかにさせたりする効果も期待できる。尚、ライトの点滅効果や異なる発色の光を合成することによる様々な色の光を発生させる光合成効果を用いればより効果的なインジケート作用や心理的効果を高めることも可能となる。
尚、レンズ体であるクリップ部２３の構成及び使用法、並びに発光機能を生じさせる電気系統は上述の実施形態と同様なのでここでの説明は省略する。
【図面の簡単な説明】
【００３５】
【図１】本発明に係る拡大鏡機能を備えた筆記用具の一実施形態であるボールペンの使用状態を示す側面図である。
【図２】図１に示すボールペンの斜視図である。
【図３】図１に示すボールペンのキャップの平面図である。
【図４】図１に示すボールペンのキャップ部のＡ−Ａ一部断面図である。
【図５】キャップの正面図である。
【図６】図１に示すボールペンの分解斜視図である。
【図７】反射板の斜視図である。
【図８】（Ａ）は係合突起部を示す回転取付部の側面断面図、（ｂ）はその係合状態を示す平面図である。
【図９】図８と異なる実施形態の回転取付部の側面断面図である。
【図１０】図１と異なる実施形態における筆記用具の使用状態を示す平面図である。
【符号の説明】
【００３６】
１      ボールペン
５      ペン軸
５ａ      ペン先
１０      本体
１０ａ      螺子部
１１      スイッチ部
１３      リング
１５      ラバー部材
１９      案内部材
２０      キャップ
２０ａ      反射面
２１      キャップ本体
２１ａ      係止片
２３      クリップ部
２５      光拡散部
２６      取付部
２７      回転取付部
２７ａ      腕部
２７ｂ      係合突起部
２７ｃ      切欠部
２８      反射板
２９      取付ピン
２９ａ      孔
３０      ＬＥＤ
３０ａ      リード部
３０ｂ      リード部
３１      接触スプリング
３３      接触片
４０      ボタン電池
５０      フック
５１      ストラップ
【図１】
2005074826.tif 000003
【図２】
2005074826.tif 000004
【図３】
2005074826.tif 000005
【図４】
2005074826.tif 000006
【図５】
2005074826.tif 000007
【図６】
2005074826.tif 000008
【図７】
2005074826.tif 000009
【図８】
2005074826.tif 000010
【図９】
2005074826.tif 000011
【図１０】
2005074826.tif 000012